(57)【要約】      （修正有）【課題】  飲料を満たした複数個のカップを、同時にかつ容易に持つことが出来るカップホルダーを提供する。【解決手段】  上方に開口した中空錐体の把手部２と、把手部の上部外面に設けられ、飲料を満たしたカップを保持可能なカップ保持枠３とからなるカップホルダーであって、上記把手部が他のカップホルダーの把手部と互いに積み重ね可能とされている。【選択図】  図５
2005080914.tif 000002
【特許請求の範囲】
【請求項１】
上方に開口した中空錐体の把手部と、
把手部の上部外面に設けられ、飲料を満たしたカップを保持可能なカップ保持枠とからなるカップホルダーであって、
上記把手部が他のカップホルダーの把手部と互いに積み重ね可能とされている
ことを特徴とするカップホルダー。
【請求項２】
上方に開口した中空錐体の把手部と、
把手部の上部外面に設けられ、飲料を満たしたカップを保持可能なカップ保持枠とからなるカップホルダーであって、
カップ保持枠と把手部とが脱着可能とされている
ことを特徴とするカップホルダー。
【請求項３】
棒状把手部と、
把手部の上部外面に設けられ、飲料を満たしたカップを保持可能なカップ保持枠とからなるカップホルダーであって、
カップ保持枠と反対側の把手部側面が、互いに所定の角度で交差する２つの平面とされ、
平面同士がなす稜線が保持枠に保持されるカップの鉛直中心線と平行とされている
ことを特徴とするカップホルダー。
【請求項４】
上記所定の角度をθ度とし、ｎが２、３、４、５のいずれである場合にも、
θが式（１）を満たさない
ことを特徴とする請求項３記載のカップホルダー。
（式１）  １７０＜θ×ｎ＜１８５
【請求項５】
上方に開口した中空錐体の把手部がカップの開口側上部外面に設けられ、
該把手部が互いに積み重ね可能とされている
ことを特徴とする把手部付き飲料用カップ。
【請求項６】
棒状の把手部がカップの開口側上部外面に設けられ、
該把手部のカップと反対側の側面が、互いに所定の角度で交差する２つの平面とされ、
平面同士がなす稜線がカップの鉛直中心線と平行とされている
ことを特徴とする把手部付き飲料用カップ。
【請求項７】
上記所定の角度をθ度とし、ｎが２、３、４、５のいずれである場合にも、
θが（式２）を満たさない
ことを特徴とする請求項６記載の把手部付き飲料用カップ。
（式２）  １７０＜θ×ｎ＜１８５
【請求項８】
把手部とカップとが脱着可能とされている
ことを特徴とする請求項５〜７のいずれか記載の把手部付き飲料用カップ。
【請求項９】
請求項１〜４のいずれかに記載のカップホルダーとカップとからなる把手部付き飲料用カップであって、
カップとカップホルダーとが脱着可能とされ、
かつ、カップ外周面には、カップ保持枠の最小内径よりわずかに小さい外径となる位置に突起が設けられている
ことを特徴とする把手部付き飲料用カップ。
【発明の詳細な説明】
【技術分野】
【０００１】
本発明は、飲料を満たした複数個のカップを保持して同時に把手することが可能なカップホルダー、及び把手部付き飲料用カップに関する。
【背景技術】
【０００２】
野球、サッカー、フットボール等の球技、陸上競技、スキー競技等の室外競技場、バスケットボール、体操競技等の室内競技場、闘牛場、ゴルフ場、映画館、演劇場、大きな公園など、多くのスタジアムや競技場、体育館、コロセウム、リング、ヤード、リンク、シアター、パーク等では、観覧席や売店において飲料の販売が行われる。この時、飲料用カップは、飲料を満たした状態で複数個をまとめて同時に持つ場合がある。しかしながら、片手で一度にもてるカップの個数はせいぜい３個であり、容量が大きいカップや熱い飲料を入れたカップでは、たとえ把手部が付いたカップであっても、２個でも持ち難く、内容物をこぼしてしまうことがある。
【０００３】
カップを手で持つためのカップホルダーの一例としては、カップのフランジ部を係止部で係止し、カップの周壁をカップホルダーの当接部及び係止部を有する弾性部で挟持し、かつ、カップの外壁を接触部で支えることによりホルダーをカップに取り付けるカップホルダーが知られている（例えば、特許文献１参照。）。このカップホルダーは、不使用時は展開した状態で保管し、使用時に丸めてカップ挿入部を逆円錐状に組み立てて使用するものである
【０００４】
更に別のカップホルダーとしては、中央部を平坦状にし、両側縁付近を同方向に湾曲し、かつ上縁を下縁より長くして丸め易くした長方形状の、一体成型された弾性プラスチックの展開部材を形成し、展開部材の両側縁に把手部を連接し、展開部材を丸めた時に互いに係合するフック部を設け、展開部材を丸めてフック部で弾性係合して組み立てられた器物類の外装体が知られている（例えば、特許文献２参照。）。この外装体は、カップを上から挿入してカップを保持するものである。
【０００５】
更に別のカップホルダーとしては、有底筒形状の容器を収納保持するカップホルダーであって、下方に向かって縮径となった筒壁の下端内面に、容器を支持できる爪状の支持片を周方向に沿って複数突設すると共に、筒壁の上端に板片状の把手片を斜め外下方に向けて屈曲設し、更にこの把手片の幅方向に沿った断面形状を浅いＵ字形状に湾曲させた構成で、支持片を筒壁の下端から内上方に反転突設し、また支持片と筒壁との間に支持片とほぼ同一高さのストッパーピンを突設したカップホルダーが知られている（例えば、特許文献３参照。）。このカップホルダーは、不使用時に積み重ねができるものである。
【０００６】
【特許文献１】特許１８０３６３０号公報
【特許文献２】特開平４−２５３６４２号公報
【特許文献３】特開２００３−１１６７００号公報
【発明の開示】
【発明が解決しようとする課題】
【０００７】
しかしながら、文献１から３のカップホルダーは、いずれも１個のカップを保持して手で持つものであり、複数個のカップを同時に保持し手で持つことは出来ない。また、文献３のカップホルダーは、カップホルダー自体は積み重ねはできるものの、カップ使用時に積み重ねることは出来ず、やはり、複数個のカップを同時に保持し手で持つことは出来ない。
【０００８】
本発明は、飲料を満たした複数個のカップを保持して同時に把手することが可能なカップホルダー、及び複数個を同時に片手で把手し易い飲料用カップを提供する目的で行われたものである。
【課題を解決するための手段】
【０００９】
上記課題を解決するための本発明の請求項１に記載のカップホルダー（発明１）は、上方に開口した中空錐体の把手部と、把手部の上部外面に設けられ、飲料を満たしたカップを保持可能なカップ保持枠とからなるカップホルダーであって、上記把手部が他のカップホルダーの把手部と互いに積み重ね可能とされている。
【００１０】
請求項２記載の発明（発明２）は、上方に開口した中空錐体の把手部と、把手部の上部外面に設けられ、飲料を満たしたカップを保持可能なカップ保持枠とからなるカップホルダーであって、カップ保持枠と把手部とが脱着可能とされているカップホルダーである。
【００１１】
請求項３記載の発明（発明３）は、棒状把手部と、把手部の上部外面に設けられ、飲料を満たしたカップを保持可能なカップ保持枠とからなるカップホルダーであって、カップ保持枠と反対側の把手部側面が、互いに所定の角度で交差する２つの平面とされ、平面同士がなす稜線が保持枠に保持されるカップの鉛直中心線と平行とされているカップホルダーである。
【００１２】
請求項４記載の発明（発明４）は、上記所定の角度をθ度とし、ｎが２、３、４、５のいずれである場合にも、θが式１を満たさないことを特徴とする発明３のカップホルダーである。
【００１３】
（式１）  １７０＜θ×ｎ＜１８５
【００１４】
請求項５記載の把手部付きカップは（発明５）は、上方に開口した中空錐体の把手部が、カップの開口側上部外面に設けられ、該把手部が互いに積み重ね可能とされている把手部付き飲料用カップである。
【００１５】
請求項６記載の発明（発明６）は、棒状の把手部がカップの開口側上部外面に設けられ、該把手部のカップと反対側の側面が、互いに所定の角度で交差する２つの平面とされ、平面同士がなす稜線がカップの鉛直中心線と平行とされている把手部付き飲料用カップである。
【００１６】
請求項７記載の発明（発明７）は、上記所定の角度をθ度とし、ｎが２、３、４、５のいずれである場合にも、θが式２を満たさないことを特徴とする発明６の把手部付き飲料用カップである。
【００１７】
（式２）  １７０＜θ×ｎ＜１８５
【００１８】
請求項８記載の発明（発明８）は、  把手部とカップとが脱着可能とされていることを特徴とする発明５〜７のいずれかの把手部付き飲料用カップである。
【００１９】
請求項９記載の発明（発明９）は、発明１〜４のいずれかのカップホルダーとカップとからなる把手部付き飲料用カップであって、カップとカップホルダーとが脱着可能とされ、かつカップ外周面には、カップ保持枠の最小内径よりわずかに小さい外径となる位置に突起が設けられていることを特徴とする把手部付き飲料用カップである。
【００２０】
発明１〜発明４に用いられるカップホルダーは、飲料を満たしたカップをカップ保持枠に保持してこれを手で持つので、曲げ強度に優れ、耐水性、耐熱性が良く、かつ軽量な材料が好ましい。例えば一例として、剛性を有する熱可塑性又は熱硬化性合成樹脂類；アルミニウムや鉄、ＳＵＳ（ステンレススチール）、これらの合金等の金属類；木材や竹類、これらを塗装したもの等が挙げられる。特に、ＰＶＣ（ポリ塩化ビニル）系樹脂、ＰＥ（ポリエチレン）系樹脂、ＰＰ（ポリプロピレン）系樹脂、ＰＣ（ポリカーボネート）系樹脂、アミド系樹脂、ＡＢＳ（アクリロニトリルスチレンブタジエン共重合樹脂）等の熱可塑性樹脂や、メラミン樹脂、フェノール樹脂等の熱硬化性樹脂、又はＦＲＰ（繊維強化樹脂）類等合成樹脂類が好適に用いられる。
【００２１】
上記樹脂類の場合は、バージンレジンであってもリサイクルレジンであっても構わない。また、把手部とカップ保持枠とは一体として作成されても良いし、これらを別々の材料で作成し、組み合わせてカップホルダーに組み立てられても良い。
【００２２】
発明５〜９の飲料用カップに用いられる材料は、上記のカップホルダーに用いられる材料の内、食品衛生法に適合した通常の飲料用容器用材料であれば良い。また、把手部とカップとは一体として作成されても良いし、これらを別々の材料で作成し、組み合わせて飲料用カップに組み立てられても良い。
【００２３】
発明１〜４に使用されるカップは、一回限りの使用で廃棄されるいわゆる使い捨てカップの他に、繰り返し使用されるいわゆるリユース可能なカップを用いることもでき、発明６〜９のカップも同様である。特に、リユースされるカップの場合は、塩素化塩化ビニル系樹脂等であれば長期の繰り返し線上や使用に耐え、変形が少ないので好ましい。発明５〜９の飲料用カップにおいても同様である。
【００２４】
発明１〜９においては、把手部はカップホルダーを手で持つ箇所である。従って把手部とカップホルダーに保持されたカップとの間には隙間が設けられ、その隙間は少なくとも指が入る距離とされ、把手部を手で握ることが可能とされる。発明５〜９の飲料用カップにおいても、把手部とカップとの間には隙間が設けられ、把手部を手で握ることが可能なようにされている。
【発明の効果】
【００２５】
発明１においては、把手部が上方が開口された中空錐体であるので、把手部を積み重ねて最下方の把手部を把手することができ、複数のカップホルダーを同時に安定して持つことができる。即ち、カップホルダーのカップ保持枠の向きを変えることで複数個のカップを同時に片手で安定して持つことができる。
【００２６】
発明２のカップホルダーは、把手部とカップ保持枠とが脱着可能とされているので、使用後にこれを取り外して片づけることができ、保管スペースを小さくできる。
【００２７】
発明３においては、複数のカップホルダーの把手部を、その稜線同士を一カ所に集めて集合させた場合、把手部同士は、把手部側面の平面部同士で接するので、集合された把手部同士は安定した集合状態を保ち、複数のカップホルダーを安定して持ち易くなる。従って、カップ保持枠に保持されたカップを、片手で安定して持つことができる。なお、平面でない部分は角を丸めたり、膨らみを持たせたり、波形の凹凸模様を付けたりして持ちやすく且つ滑り難くされると良い。
【００２８】
発明４においては、複数のカップホルダーの把手部をその稜線同士を一カ所につきあわせて集合させた場合、どの位置に配置される把手部同士であっても、それぞれの把手部のどの平面同士の突き合わせ部において、その突き合わせ角度が１８０度近傍にならないように、その平面同士がなす角度の範囲が決められている。即ち、カップホルダーを複数個同時に持つために把手部を一箇所に集合させた場合、組み合わされた両端のカップホルダーの把手部の平面同士がなす角度が連続した平面、即ち稜線を跨いで両側の平面同士が約１８０度近傍となる状態となれば、更に他のカップホルダーを追加して保持するために、その把手部を先に集合されてある把手部に合わせて集合体にしようとした場合に、追加したカップホルダーの把手部の平面が、既に組み合わされた把手部の平面上で滑って握りの形状が崩れてしまい、追加したカップホルダーが不安定になってしまう恐れがある。
【００２９】
通常、片手でもてるカップホルダーの数は、せいぜい５個位なものであるので、把手部の平面同士がなす所定の角度をθ度とし、ｎが２、３、４、５のいずれである場合にも、１７０＜θ×ｎ＜１８５でない角度であれば、突き合わされた稜線部において、両側の平面は連続した平面にはならず、従って、更に別のカップホルダーを追加して持っても、そのカップホルダーは滑ることなく、安定して持てるようになるのである。
【００３０】
発明５においては、上方に開口した中空錐体の把手部が、カップの開口側上部外面に設けられ、その把手部が積み重ね可能とされている。従って、把手部を積み重ねて最下方の把手部を把手することができ、複数のカップを同時に安定して持つことができる。即ち、カップの向きを変えることで複数個のカップを同時に片手で安定して持つことができる。
【００３１】
発明６においては、複数の飲料用カップの把手部を集合させた場合、それらの平面部同士が当接されるので、集合された把手部同士は安定した集合状態を保ち、複数の飲料用カップを安定して持ち易くなる。従って、複数の飲料用カップを片手で安定して持つことができる。なお、平面でない部分は角を丸めたり、膨らみを持たせたり、波形の凹凸模様を付けたりして持ち易く且つ滑り難くされると良い。
【００３２】
発明７においては、把手部の平面同士がなす所定の角度をθ度とし、ｎが２、３、４、５のいずれである場合にも、１７０＜θ×ｎ＜１８５でない角度であれば、突き合わされた稜線部において、両側の平面は連続した平面にはならず、従って、更に別の飲料用カップを追加して持っても、その飲料用カップは滑ることなく、安定して持てるようになるのである。
【００３３】
発明８の飲料用カップは、把手部とカップとが脱着可能とされているので、使用後に把手部を取り外すことでカップの洗浄が容易となり、片づける場合でも保管スペースを小さくできる。
【００３４】
発明９の飲料用カップは、発明１〜４のいずれかのカップホルダーとカップとからなる把手部付き飲料用カップであって、カップとカップホルダーとが脱着可能とされ、かつカップ外周面には、カップ保持枠の最小内径よりわずかに小さい外径となる位置に突起が設けられている。従って、カップをカップ保持枠に装着した場合に、突起がカップ保持枠の下方に位置し、カップを置いた時などカップが上方に移動しようとした時にカップ保持枠に引っかかり、抵抗となって抜けにくくなる。
【発明を実施するための最良の形態】
【００３５】
次に、図面を参照して本発明を説明する。図１において、カップホルダー１は、上方に開口した中空錐体（把手部）２と把手部２の上部外面２１に設けられ飲料を満たしたカップＣを保持可能なカップ保持枠３とから構成されている。把手部２は中空錐体であるので、他のカップホルダーの把手部と互いに積み重ね可能である。中空錐体２の底部には貫通孔２２を設けておいても良い。この貫通孔２２は積み重ね時の空気抜きとなる他、誤って把手部に入った飲料やカップホルダー洗浄の水等の水抜き孔として有効に機能する。
【００３６】
中空錐体２は、積み重ねたときに上下の把手部が互いにがたつかないように、例えば、錐体２の壁面を同じ厚さとするなどで、錐体２の内外面を同じ角度の傾斜面とすることが好ましい。錐体２の形状は特に限定されず、その横断面が円錐形状、三角、四角、六角等の多角錐形状であっても構わない。カップ保持枠３が上下方向に重ならないように把手部２を積み重ねた時、把手部２が円錐形状の場合は、把手部２を中心にカップ保持枠３の向きを自由に回転させることができ、カップＣを任意の位置にして持つことができる。把手部２が多角形状の場合は、把手部２を中心にカップ保持枠３が回転しないので安定して持つことができる。
【００３７】
カップ保持枠３のカップ装着部の平面形状は、適用されるカップＣの横断面の外形形状と相似形の、連続した又は一部が切り欠かれた環形状であって、カップＣを保持枠３の上方から挿入し、カップＣを保持する機能を有していればどのような形状であっても構わない。例えば、カップＣの形状が底部側に縮径された形状であれば、カップＣの最大径と最小形の間の寸法を有する内径の環形状（図１（ａ）参照）や、一部が切り欠かれた環形状（図１（ｂ）参照）とされていても良い。カップ保持枠は、上側開口部の内径が下側開口部の内径より大きく、保持枠内側ののカップ接触面が、用いられるカップの壁面と同じ傾斜のテーパー面とされていると、カップ保持枠の上方からカップを挿入した時に、確実に保持されるので好都合であるが、必ずしもこの形状に拘ることはない。
【００３８】
また、保持枠３の下方に適当数のカップ受け３１が配置された形状（図１（ｃ）、図１（ｄ）参照）とされていても良い。図１（ｃ）、図１（ｄ）の場合では、保持枠２内を通過するカップＣなら、ほとんどどのような形状のカップＣでも適用が可能となる。
【００３９】
把手部２は手でこれを握ってカップホルダー１を持つ。従って、カップ保持枠３に保持されるカップＣの外周壁と把手部２との間には少なくとも指が入るだけの隙間ｄが設けられていることが好ましい。この隙間を確保するために、把手部２の上部外面２１とカップ保持枠３とは支柱４で連結されていても良く、カップ保持枠３又は上部外面２１の一部を伸ばしてこれらを連結（図１（ｅ）参照）しても良い。支柱４は、飲料を満たしたカップがカップ保持枠３に挿入された時に撓まないよう、またカップ保持枠３又は把手部２から分離しないよう確実に固定又は係止されなければならないことは言うまでもない。
【００４０】
カップ保持枠３は把手部２の上部外面２１に設けられるが、カップ保持枠３は取付け部を中心に、上方に回動可能に取付けられていても良い（図２参照）。この場合、カップ保持枠３を、カップＣを保持する所定の位置に回わした際、それ以上カップ保持枠３が回動しないように、ストッパー３２を突設して設けられると良い。ストッパー３２は保持枠３に設けられても、又は図１（ｅ）に示されたカップホルダーでは、支柱４に設けられても良く、把手部２に設けられていても良い。このようにされると、不使用時に片づける時、保持枠３を回動して保管すれば保管スペースが少なくて済む。
【００４１】
図３におけるカップホルダー１は、把手部２とカップ保持枠３とが脱着可能とされている発明２のカップホルダーの一例である。この脱着構造は特に限定されないが、例えば一例として、把手部２とカップ保持枠３とに、それぞれ受け部３２と差し部３３とからなる脱着可能な係止部を設け、これを受け差しする構造等が挙げられる。なお、本例では、カップ保持部３に差し部３３が、把手部２に受け部３２が設けられているが、差し部３３と受け部３２とはどちらが把手部２又はカップ保持部３に設けられていても良い。
【００４２】
図４（ａ）は発明４のカップホルダーの一例の縦断面図、図４（ｂ）はその平面図である。カップホルダー１は、棒状の把手部２と把手部２の上部外面２１に設けられ飲料を満たしたカップＣを保持可能なカップ保持枠３とから構成されている。棒状把手部２の、カップ保持枠３の反対側向きの面が、互いに所定の角度θで交差する２つの平面５１、５２とされ、平面５１，５２同士がなす稜線５３が保持枠３に保持されるカップＣの鉛直中心線と平行とされている。
【００４３】
従って、複数のカップホルダー１の把手部２を集合させて全体をまとめて把手した時に、隣り合うカップホルダー１１の当接する面同士が平面で接触することとなる。それ故該当する面が平面でない場合例えば丸棒などの場合のように、当接面が線状になって把手した時に回って滑り易くて握りが崩れ、手でしっかりと持つことが困難になってしまうことがない。
【００４４】
図５は、発明４のカップホルダー５個が夫々その把手部２を集合している状態の一例を示す平面図である。ｎが２、３、４、５のいずれである場合にも、把手部２に設けられた平面５１と５２とのなす角度θ（度）が、次式１を満たさないようにされている。
【００４５】
（式１）  １７０＜θ×ｎ＜１８５
【００４６】
即ち、一度に多くのカップホルダー１の把手部２をまとめて握って持つ場合、各把手部２の稜線５３同士が突き当たる箇所において、いずれかの面同士が連続した平面を形成してしまうと、その連続した平面に沿って他の把手２部の平面が滑ってしまい、手でしっかりと持つことが困難になってしまうことがある。上記の式１を満たさない角度θであれば、一度に５個以下であればそのような個数のカップホルダー１をまとめても、稜線５３が突き当たる箇所で把手部２同士が連続した平面を形成しないので、まとめて握っても握りの形状が崩れることが少なくなり、手で持つことができる。なお、ｎ＝２又は３、４の場合は、本図（ｎ＝５の場合）と同じであるから改めて図示しない。
【００４７】
例えば、ｎ＝２の時は８５度＜θ＜９２．５度、ｎ＝３の時は５６．７度＜θ＜６１．７度、ｎ＝４の時は４２．５度＜θ＜４６．３度、ｎ＝５の時は３４度＜θ＜３６度である。角度θが上記全ての範囲外であれば、把手部２を握る手の手首がカップ保持枠３に保持されたカップＣに接触するまでは、いくつでも安定して手で持つことができる。
【００４８】
なお、把手部２とカップ保持枠３との間の距離、又は支柱４の長さは、角度θの大きさによって適宜変更される。
【００４９】
図６は、発明５の飲料用カップの一例の縦断面図である。飲料用カップ１１は、カップ１１の開口側上部外面１１１に上方に開口した中空錐体の把手部１２が設けられ、把手部１２は下方に延設されている。この把手部１２は互いに積み重ね可能とされている。又、把手部１２の垂直方向の中心軸とカップ１１の垂直方向の中心軸とは平行とされ、把手部１２が積み重ねられた時に、カップ１１も同時に積み重ねられるようにされている。
【００５０】
中空錐体１２は、積み重ねたときに上下の把手部１２が互いにがたつかないように、例えば、その壁面を同じ厚さとするなどで、中空錐体１２の内外面を同じ角度の傾斜面とすることが好ましい。把手部１２の断面形状は特に限定されず、その横断面が円錐形状、三角、四角、六角等の多角錐形状であっても構わない。カップ１１が上下方向に重ならないように把手部１２を積み重ねた時、把手部１２が円錐形状の場合は、把手部１２を中心にカップ１１の向きを自由に回転させることができ、カップ１１を任意の位置にして持つことができる。把手部１２が多角形状の場合は、把手部１２を中心にカップ１１が回転しないので安定して持つことができる。なお、中空錐体１２の底部に貫通孔１２２を設けておくと良いことは発明１又は発明２のカップホルダーの場合と同じである。
【００５１】
把手部１２は手でこれを握ってカップ１１を持つ。従って、カップ１１の外周壁と把手部１２との間には少なくとも指が入るだけの隙間ｄが設けられていることが好ましい。この隙間を確保するために、把手部１２の上部外面１２１とカップ１１とは支柱で連結（図示せず）されていても良く、カップ１１又は上部外面１２１の一部を伸ばしてこれらを連結（図示せず）しても良い。
【００５２】
図７においては、カップ１１の開口側上部１１１外面に棒状の把手部１２が設けられ、把手部１２は下方に延設されている。把手部１２のカップ１１の反対向面が、互いに所定の角度で交差する２つの平面１５１、１５２とされ、平面同士がなす稜線１５３がカップ１１の鉛直中心線と平行とされている。
【００５３】
従って、複数のカップ１１の把手部１２を集合させて全体をまとめて把手した時に、隣り合うカップ１１の当接する面同士が平面で接触することとなる。それ故、当接する面が平面でない場合例えば丸棒などの場合でのように、把手した時に当接面が線状になり、握った時に滑ってそれぞれの把手部が移動し、握りの形状が崩れて手でしっかりと持つことが困難になってしまうことがない。
【００５４】
図８は、ｎが２、３、４、５のいずれである場合にも、把手部１２に設けられた平面１５１と１５２とのなす角度θ（度）が、次式２を満たさない場合の、複数のカップホルダーの、集合した把手部１２の横断面である。
【００５５】
（式２）  １７０＜θ×ｎ＜１８５
【００５６】
即ち、一度に多くのカップ１１の把手部１２をまとめて握って持つ場合、各把手部の稜線１５３同士が突き当たる箇所において、いずれかの面同士が連続した平面を形成してしまうと、その連続した平面に沿って他の把手部の平面が滑ってしまい、手でしっかりと持つことが困難になってしまうことがある。上記の式１を満たさない角度θであれば、一度に５個以下であればそのような個数のカップ１１をまとめても、稜線１５３が突き当たる箇所で柄１２同士が連続した平面を形成しないので、まとめて握っても握りの形状が崩れることが少なくなり、安定して手で持つことが出来る。
【００５７】
例えば、ｎ＝２の時は８５度＜θ＜９２．５度、ｎ＝３の時は５６．７度＜θ＜６１．７度、ｎ＝４の時は４２．５度＜θ＜４６．３度、ｎ＝５の時は３４度＜θ＜３６度である。角度θが上記全ての範囲外であれば、把手部１２を握る手の手首がカップ１１に接触するまでは、いくつでも安定して手で持つことができる。
【００５８】
図９は、把手部１２とカップ１１とが脱着可能とされている発明５から発明７の飲料用カップ１１の一例の縦断面図である。但し、本図では把手部１２とカップ１１との脱着構造のみを記載している。この脱着構造は特に限定されないが、本例においては、カップ１１に下向きの差し部１３１を設け、把手部１２の上端部１２１に受け部１１３２を設けて、カップ１１を把手部１２に係止する構造のものである。差し部１３１と受け部１３２とはどちらが把手部側又はカップ側に設けられていても良い。また、差し部１３１又は受け部１３２が回動可能にカップ又は支柱又は把手部に設けられていても良く（図示せず）、この場合であればカップを取り外した後、差し部又は受け部を回動して収納すれば収納スペースが少なくて済む。
【００５９】
図１０は、発明９の把手部付き飲料用カップの一例の縦断面図である。この飲料用カップは、発明１〜４のいずれかに記載のカップホルダーとカップとからなる飲料用カップであり、カップＣはカップ保持枠３の上から挿入してカップ保持枠３に脱着可能に装着し、かつカップＣの外側面に突起６が設けられている。この突起６の取り付け位置は、カップＣの外径が、カップ保持枠３の最小内径よりわずかに小さい箇所である。
【００６０】
カップとカップ保持枠とを脱着可能とし、かつカップをカップ保持枠に装着した時にがたつかかず、又カップを置いた時に把手部が落ちないようにするために、突起６の突設高さは、その頂点を含む仮想円の直径がカップ保持枠３の最小内径よりわずかに大きくされている。それ故、カップ保持枠３の上からカップＣを挿入して装着する場合に、突起６がカップ保持枠３を通過してその下方に位置し、カップを置いた場合などカップＣが上方に移動しようとした時にカップ保持枠３に引っかかり、抵抗となって抜けにくくなる。なお、カップＣを挿入する際は、わずかな抵抗があってもいわゆる無理入れが可能な突設高さにされているので、カップＣの挿入は容易である。
【００６１】
突起６は少なくとも１個以上の突起であれば良いが、カップＣの外周面に沿った連続した環状、又は部分的に切り離された不連続な環状とされていても良い。突起が、天井の突起であり、その数が２個であれば、カップをカップ保持枠に挿入することが容易でかつカップを置いたときに抜け難く、使用後にカップを取り外す時には、こじるようにして抜けば容易に外すことが出来る。また、突起６の下側面を緩やかな角度とし上側面をやや急な角度のてーパー面とすれば、カップＣをカップホルダー３に挿入しやすくかつ置いて時に抜けにくくなり、実用上好ましい。
【図面の簡単な説明】
【００６２】
【図１】発明１に係るカップホルダーの一例である。  （ａ）使用時の縦断面図である。  （ｂ）カップ保持枠の一部が切り欠かれたものの一例の横断面図である  （ｃ）カップ保持枠の下にカップ受けが設けられた一例の縦断面図である。  （ｄ）図１（ｃ）の平面図である。  （ｅ）カップ保持枠と把手部の間が支柱で連結されたものの一例の縦断面図である。
【図２】カップ保持枠が上方に回動可能とされたものの一例である。  （ａ）縦断面図である。  （ｂ）その平面図である。
【図３】発明２に係るカップホルダーの一例の縦断面図である。
【図４】発明３に係るカップホルダーの一例である。  （ａ）使用時の縦断面図である。  （ｂ）その平面図である。
【図５】発明４に係るカップホルダー５個が夫々その把手部２を集合している状態の一例を示す平面図である。
【図６】発明５に係る飲料用カップの一例の縦断面図である。
【図７】発明６に係る飲料用カップの一例である。  （ａ）使用時の縦断面図である。  （ｂ）その平面図である。
【図８】発明７に係るカップホルダー５個が夫々その把手部２を集合している状態の一例を示す平面図である。
【図９】発明８に係る飲料用カップの係止部の拡大縦断面図である。
【図１０】発明９に係る飲料用カップの一例の縦断面図である。
【符号の説明】
【００６３】
１  カップホルダー
２  中空錐体（又は把手部）
２１  中空錐体の上部外面
２２  貫通孔
３  カップ保持枠
３１  カップ受け
３２  受け部
３３  差し部
４  支柱
５１、５２  棒状体の保持枠側に設けられた平面
５３  平面５１と５２とから構成される稜線
６  突起
１１  飲料用カップ
１１１  飲料用カップの上部外面
１２  柄（又は中空錐体、又は把手部）
１２１  柄の上部外面
１２２  貫通孔
１３１  差し部
１３２  受け部
１５１、１５２  棒状体の保持枠側に設けられた平面
１５３  平面１５１と１５２とから構成される稜線
θ  平面５１と５２又は平面１５１と１５２とが交差する角度
Ｃ  カップホルダーに用いるカップ
ｄ  隙間
【図１】
2005080914.tif 000003
【図２】
2005080914.tif 000004
【図３】
2005080914.tif 000005
【図４】
2005080914.tif 000006
【図５】
2005080914.tif 000007
【図６】
2005080914.tif 000008
【図７】
2005080914.tif 000009
【図８】
2005080914.tif 000010
【図９】
2005080914.tif 000011
【図１０】
2005080914.tif 000012